(57)【特許請求の範囲】
【請求項１】
内部に釣糸が挿通可能な釣糸通路を有する元竿と、内部に釣糸が挿通可能な釣糸通路を有し、前記元竿に振出形式に連結された複数の竿体と、前記元竿の竿元側の周面上に設けられリールからの釣糸を前記釣糸通路に挿入可能な釣糸導入口と、穂先側の前記竿体の前記穂先側端部に形成され前記釣糸通路を挿通した釣糸を導出可能な釣糸導出部と、前記元竿の竿元側端部に取り付けられた貫通孔を有する尻栓とを備えた中通し竿に用いる糸通し具であって、
弾性変形可能な線状の本体部と、
前記本体部の後端に折れ曲がり自在に連結され、前記釣糸を係止できる釣糸係止部と、
前記本体部の先端に、前記釣糸通路内を通過可能に設けられ、前記釣糸通路内を通過して前記釣糸導出部から飛び出した状態のとき、前記釣糸導出部に係止可能な穂先係止部とを備え、
前記穂先係止部が前記釣糸導出部から飛び出した状態のとき、前記元竿から竿元側の前記竿体を前記穂先側に引き出すことにより、前記竿体とともに前記釣糸係止部、前記本体部、及び、前記穂先係止部が移動可能である
ことを特徴とする糸通し具。
【請求項２】
前記本体部は金属製のワイヤであり、前記穂先係止部は前記ワイヤの端部を折り曲げて形成されている、請求項１に記載の糸通し具。
【請求項３】
前記穂先係止部は、前記本体部の先端から放射状に広がる複数の弾性部材を有する、請求項１に記載の糸通し具。
【請求項４】
前記ワイヤは形状記憶合金製である、請求項２または３に記載の糸通し具。
【発明の詳細な説明】
【０００１】
【発明の属する技術分野】
本発明は、内部に釣糸が挿通される中通し竿及びその中通し竿の内部に形成された釣糸通路に釣糸を通すための糸通し具に関する。
【０００２】
【従来の技術】
従来の振出形式の中通し竿は、釣り用リールが装着される元竿と、元竿に振出形式で連結される元上竿と、元上竿に振出形式で連結される１又は複数の穂先側竿体とを備えている。元竿には、リールに巻き付けられた釣糸を釣糸通路に導入するための釣糸導入口が設けられている。元上竿及び穂先側竿体の内部には、釣糸が通過可能な釣糸通路が形成されている。最も穂先側の竿体、つまり穂先竿の先端には、釣糸通路を通った釣糸を外部に導出するためのトップガイドが設けられている。
【０００３】
この種の中通し竿において、釣糸導入口から釣糸を釣糸通路に導入し、トップガイドから取り出すために糸通し具が用いられる。従来の糸通し具は、複数の素線をよって形成されたワイヤで形成されている。ワイヤの長さは、元上竿にそれより穂先側の竿体を収納したときの糸導入部から糸導出口までの長さより長くなっている。このワイヤの後端には釣糸を係止可能な釣糸係止部が設けられている。また、ワイヤの先端には素線が広がるのを防止するキャップが固定されている。
【０００４】
このような糸通し具を用いて釣糸を中通し竿に通す場合（以下、「釣糸挿通操作」という）には、元上竿に穂先側竿体を収納し、元上竿を元竿から延びた状態にする。一方で釣糸係止部に釣糸をたとえば結び付けて係止する。次に、糸通し具の先端を元竿の釣糸導入口から内部の釣糸通路に挿入する。そして、糸通し具を順次穂先側に送っていき、糸通し具の先端をトップガイドから外部に導出する。その後、糸通し具の先端を外部に引出し、釣糸係止部に係止されている釣糸をトップガイドから外部に取り出す。
【０００５】
【発明が解決しようとする課題】
従来の釣糸挿通操作は、予め元上竿を元竿の穂先側に引き出した状態でおこなうため、竿体をコンパクトな状態に収納したまま釣糸挿通操作を開始できず、磯の釣り場や自動車内等の比較的狭い空間で釣糸挿通操作の準備をおこなうのが煩雑であった。
【０００６】
また、例えば、振出形式の釣竿における釣糸挿通操作では、穂先側竿体を収納した元上竿を元竿の穂先側に連結した状態で、糸導入部内をのぞき込みながら、糸通し具の先端を穂先竿内に直接挿入して行う場合がある。このように糸導入部から糸通し具先端を竿体内に挿入する作業は、一定の技術が必要となるため初心者には困難な場合がある。特に、夜釣りなど暗い場所で釣糸挿通操作を行う際には、糸導入部内部が見えにくく作業が繁雑になる。
【０００７】
本発明の課題は、釣糸挿通操作を容易に行うことができる糸通し具を提供することにある。
【０００８】
【課題を解決するための手段】
発明１に係る糸通し具は、内部に釣糸が挿通可能な釣糸通路を有する元竿と、内部に釣糸が挿通可能な釣糸通路を有し、前記元竿に振出形式に連結された複数の竿体と、前記元竿の竿元側の周面上に設けられリールからの釣糸を前記釣糸通路に挿入可能な釣糸導入口と、穂先側の前記竿体の前記穂先側端部に形成され前記釣糸通路を挿通した釣糸を導出可能な釣糸導出部と、前記元竿の竿元側端部に取り付けられた貫通孔を有する尻栓とを備えた中通し竿に用いる糸通し具であって、弾性変形可能な線状の本体部と、前記本体部の後端に折れ曲がり自在に連結され、前記釣糸を係止できる釣糸係止部と、前記本体部の先端に、前記釣糸通路内を通過可能に設けられ、前記釣糸通路内を通過して前記釣糸導出部から飛び出した状態のとき、前記釣糸導出部に係止可能な穂先係止部とを備え、前記穂先係止部が前記釣糸導出部から飛び出した状態のとき、前記元竿から竿元側の前記竿体を前記穂先側に引き出すことにより、前記竿体とともに前記釣糸係止部、前記本体部、及び、前記穂先係止部が移動可能であることを特徴とする竿体を引き出すと、前記釣糸係止部が前記釣糸導出口より飛び出すことを特徴とする。
【０００９】
釣糸挿通操作時には、まず、中通し竿の複数の竿体を順次竿元側の竿体内に振出形式で収納する。この状態で尻栓の貫通孔から糸通し具の先端側（穂先係止部側）を竿体の釣糸通路内に挿入して順次穂先側に送っていく。やがて、糸通し具の穂先係止部は中通し竿の釣糸導出部から飛び出し糸導出部に係止される。
続いて、中通し竿の各竿体を順次穂先側へ引き出すと、各竿体と共に糸通し具も穂先側に移動し、糸通し具の後端が尻栓の貫通孔から釣糸通路内に導入され釣糸導入部近傍に至る。ここで、中通し竿を適宜周方向に回転させて釣糸導入口を重力方向に向けると、折れ曲がり自在な釣糸係止部は釣糸導入部から飛び出してくる。そして、この釣糸導入口から飛び出した釣糸係止部に釣糸を係止する。このようにして釣糸係止部に釣糸を係止した後、釣糸導出部に係止されている糸通し具の穂先係止部を釣糸導出部より引き出し、糸通し具と共に釣糸を引き出す。これにより釣糸挿通操作が完了する。
【００１０】
この種の中通し竿においてこの糸通し具を用いると、中通し竿を振出形式に収納したコンパクトな状態のまま釣糸挿通操作を開始可能であり、比較的容易に釣糸挿通操作を準備できる。また、振出形式の竿体を引き出すと共に糸挿通操作を容易におこなうことが可能である。
発明２に係る糸通し具は、発明１の糸通し具であって、本体部は金属製のワイヤであり、穂先係止部はワイヤの端部を折り曲げて形成されている。
【００１１】
この場合には、穂先係止部が本体部と同一のワイヤを折り曲げて一体形成されているので、穂先係止部の構成が簡素になる。また、穂先係止部が竿体の釣糸導出部に容易に係止され、取扱が容易である。
発明３に係る糸通し具は、発明１の糸通し具であって、穂先係止部は、本体部の先端から放射状に広がる複数の弾性部材を有している。
【００１２】
この場合には、穂先係止部が放射状に広がっているので、釣糸通路を通過中には本体部の先端が釣糸通路の略中心を通過し、かつ釣糸導出部から飛び出すと釣糸導出部に各弾性部材が均等に係止される。このため、釣糸通路内を糸通し具が滑らかに通過するとともに、穂先係止部が糸導出部に確実に係止される。
発明４に係る糸通し具は、発明２または３の糸通し具であって、ワイヤは形状記憶合金製である。
【００１３】
この場合には、ワイヤが超弾性体である形状合金製であるので、釣糸通路挿通時に穂先係止部が変形しても釣糸導出部から引き出されると元の形状に戻り、釣糸導出部に確実に係止される。
【００１４】
【発明の実施の形態】
図１において、本発明の一実施形態における中通し竿は、元竿１と、元竿１の穂先側に振り出し形式で連結された元上竿２と、元上竿２の穂先側に順次振り出し形式で連結される中竿３及び穂先竿４とを有している。
元竿１〜穂先竿４は、それぞれ先細りテーパ状に形成された筒状部材である。内部には、それぞれ釣糸が挿通可能な釣糸通路が形成されている。元竿１の竿元側外周面には、リール７が装着可能なリールシート８が形成されており、竿元側端部には第１尻栓１０が着脱自在に装着されている。また、元竿１の穂先側外周面には、リール７からの釣糸Ｌを竿体内部の釣糸通路に導入するための釣糸導入口９が設けられており、釣糸導入口９上には、リール７からの釣糸Ｌを釣糸導入口９へ導くための釣糸導入ガイドＧが配置されている。さらに、穂先竿４の穂先側端部には、トップガイド６が配置されており、リール７からの釣糸Ｌは釣糸導入ガイドＧを経て釣糸導入口９より竿体内部の釣糸通路に挿入され、順次穂先側へ至りトップガイド６から竿体外部へ導出される。穂先竿４の全長は、穂先竿４を中竿３に収納してトップガイド６が中竿３の先端に当接した状態で中竿３を元上竿２に収納しさらに元上竿２を元竿１に収納した時に、その竿元側が、図２に示すように、第１尻栓１０の底部に近接し得る位置に配置されるような長さに設定されている。
【００１５】
第１尻栓１０は、元竿１の竿元側端部内周面に形成されたねじ山１ａに螺合して着脱自在に装着される有底筒状の本体部１２と、本体部１２の開口端部に固着された緩衝用のリング部材１３とを有している。本体部１２は合成樹脂等から形成され、中心部分において竿体の軸方向に貫通する貫通孔１２ａを有している。この貫通孔１２ａの内径は、例えば２ｍｍ〜５ｍｍの範囲であり、糸通し具２１が通過可能な孔径となっている。緩衝用のリング部材１３は、元上竿２の竿尻部が当接可能な大きさとなっており、中心部に、竿体の軸方向に貫通する貫通孔１３ａを有している。貫通孔１３ａの大きさは、穂先竿４の竿尻端部が通過可能な大きさである。
【００１６】
元上竿２の竿元側端部には、第２尻栓１４が装着されている。第２尻栓１４は、元上竿２の竿元側端部内周面に形成されたねじ山２ａに螺合して着脱自在に装着されるつば付き筒状の部材である。第２尻栓１４は合成樹脂等から形成され、中心付近において、穂先竿４が貫通可能である。また、穂先側先端は、中竿３の竿元側を収納可能である。第２尻栓１４の竿元側開口端部には、硬質セラミック等からなる硬質リング１５が嵌め込まれている。硬質リング１５の内径は、穂先竿４が通過可能な径であり、穂先竿４の竿元側の外径よりやや大きい。
【００１７】
中竿３の竿元側端部には、第３尻栓１７が装着されている。第３尻栓１７は、中竿３の竿元側端部内周面に形成されたねじ山３ａに螺合して着脱自在に装着される略リング状の部材である。第３尻栓１７も穂先竿４が貫通可能であり、その竿元側内周面には硬質セラミック等からなる硬質リング１６が嵌め込まれている。この硬質リング１６の内径も、穂先竿４が通過可能な径であり、穂先竿４の竿元側の外径より大きい。このため、穂先竿４の竿尻端部は、２つの硬質リング１６，１５を通過すると、芯出しされた状態で第１尻栓１０の底部端面近傍に配置されるようになる。
【００１８】
穂先竿４の竿元側端部には、第４尻栓１８が連結されている。第４尻栓１８は、穂先竿４の竿元側端部内周面に形成されたねじ山４ａに螺合して着脱自在に装着される略リング状の部材である。第４尻栓１８の穂先側及び竿元側の内周面にはそれぞれ硬質リング１９ａ，１９ｂが嵌め込まれている。この第４尻栓１８の竿元側端部は貫通孔１２ａ近傍に芯出しして配置される。各竿体の内部に形成された釣糸経路には、例えば螺旋状の突起が内部に形成されている。
【００１９】
本発明の一実施形態による糸通し具２１は、図３に示すように、弾性変形可能なワイヤからなる本体部２２と、本体部２２の先端に本体部２２と一体形成された穂先係止部２３と、本体部２２の後端部に設けられた釣糸係止部２４と、本体部２２と釣糸係止部２４との間に形成された自在部２５とを有している。糸通し具２１の全長は、元上竿２，中竿３及び穂先竿４を元竿１に収納した収納状態での中通し竿の全長より長くなっている。特にこの実施形態では、本体部２２の長さが収納状態の中通し竿の全長より長くなっている。
【００２０】
本体部２２は、例えば形状記憶合金製のワイヤで構成されている。穂先係止部２３は、本体部２２の先端部をヘヤピン状に折り曲げた後さらに折り曲げ、本体部２２との成す角αが、例えば２０゜から７０゜程度となるように折り曲げて形成されたものである。釣糸係止部２４は、釣糸を結んでその部分に係止できるようなリング状に形成されている。釣糸係止部２４と本体部２２とを連結する自在部２５は、例えばテトロンやポリエチレン等のこしが無い強い糸で構成されており、折れ曲がり自在である。
【００２１】
このように構成された中通し竿と糸通し具２１とを用いて、釣糸を釣糸経路内に挿入する場合には、以下のように操作する。
まず、中通し竿を収納状態にする。すなわち、元上竿に、中竿３及び穂先竿４を元竿１内に収納する。このとき、穂先竿４が中竿３及び元上竿２を通過可能に構成したので、通過するときに、硬質リング１６，１５により芯出しされる。このため穂先竿４の第４尻栓１８は、第１尻栓１０の底部に近い位置に芯出しして配置される。この状態で糸通し具２１を穂先係止部２３側から貫通孔１２ａに挿入する。そして順次内部に糸通し具２１を押し込んでいく。そして、本体部２２の後端部まで糸通し具２１を押し込むと、穂先係止部２３がトップガイド６から飛び出す。この穂先係止部２３は、弾性を有しており、本体部２２に対して折れ曲がって形成されているので、釣糸通路内を通過する際には、釣糸通路の内壁面に押さえ付けられて本体部２２との成す角度が自然状態より小さくなっている。しかし、穂先係止部２３がトップガイド６から飛び出すと、弾性により元の状態に復帰し、トップガイド６に係止される。
【００２２】
この状態で元上竿２を摘んで元竿１から引き出す。すると、トップガイド６を含む穂先竿４や中竿３も元上竿２と共に移動し、トップガイド６に係止された糸通し具２１も元竿１内を穂先側に移動する。なおこのときには、図５に示すように、釣糸導入口９を下向きにしかつ穂先側が上を向くように斜めに中通し竿を配置しておく。このような姿勢で元上竿２を引き出して行くと、釣糸係止部２４が釣糸導入口９に位置すると、自在部２５を介して本体部２２に連結された釣糸係止部２４が釣糸導入口９から下方に飛び出す。すなわち、釣糸係止部２４の自重により自在部２５が折れ曲がり釣糸係止部２４が飛び出すのである。この飛び出した釣糸係止部２４にリール７からの釣糸Ｌを結びつける。そして、トップガイド６を摘んで穂先竿４を中竿３から引き出すと共に、中竿３を元上竿２から引き出す。このように順次引き出して行き、最後に、穂先係止部２３を摘んで糸通し具２１を中通し竿内部から引き出す。すると、釣糸係止部２４に結び付けられた釣糸Ｌがトップガイド６から取り出される。このようにして釣糸Ｌが釣糸通路内を通ってトップガイド６から引き出される。この引き出された釣糸Ｌの先端に仕掛けを装着すれば釣りの準備が終わる。
【００２３】
ここでは、中通し竿の第１尻栓１０に糸通し具２１が通過可能な貫通孔１２ａを形成すると共に、穂先竿4の後端部が中竿３及び元上竿２に通過できるように構成したので、第１尻栓１０近傍に穂先竿４の後端部を芯出しした状態で配置でき、糸通し具２１を曲げることなく中通し竿の竿元側から容易に挿入できる。このため、釣糸挿通操作が容易になる。
【００２４】
また、糸通し具２１の先端に穂先係止部２３を設け、糸通し具２１がトップガイド６から飛び出した時に自動的にトップガイド６に糸通し具２１の先端（穂先係止部２３）が係止されるように構成したので、元上竿２を引き出すだけで糸通し具２１が簡単に内部に導入される。さらに、釣糸係止部２４と本体部２２との間に自在部２５を設け、釣糸係止部２４が自重により釣糸導入口９から外部に飛び出すように構成したので、釣糸を釣糸係止部２４に結び付ける操作が容易になる。
［他の実施形態］（ａ）図６に示すように、本体部２２の後端部を湾曲部２２ａで構成し、湾曲部２２ａに釣糸係止部２４を一体で形成してもよい。この場合、元上竿２に引き出し時に湾曲方向に釣糸導入口９を向けることで釣糸係止部２４を釣糸導入口９から飛び出させることができる。
【００２５】
また、穂先係止部２３を、たとえば放射状にかつ後方にねかせて形成された弾性部材３０で構成してもよい。この弾性部材３０は、本体部２２に対して例えば約２０゜から７０゜の範囲で角度を持って固定されており、自然状態ではこの角度を維持する。釣糸通路内に挿入されると、釣糸通路によって規制されてその角度が小さくなる。また、トップガイド６に係止された状態で竿体が引き出されると、その角度が９０゜近くまで大きくなる。このような放射状の弾性部材３０からなる糸通し具２１では、穂先係止部２３の中心に本体部２２が位置するので、釣糸通路内を移動する時に、本体部２２が芯出しされて移動し得る。このため、釣糸通路内を糸通し具２１がスムーズに移動できる。
【００２６】
（ｂ）図７に示すように、自在部２５を１つの部材ではなく、チェーン等で構成してもよい。
（ｃ）前記実施形態では釣糸係止部をリング状に構成したが、図８に示すように、釣糸係止部２４は、本体部２２の後端に連結された数珠状の小球群で構成してもよい。この小球群３１は、内部をこしの無い強い糸が貫通している。このため、小球群３１の隙間に釣糸を係止できると共に、小球群３１は自在に折れ曲がり可能である。これらの構成でも前記実施形態と同様な効果が得られる。
【００２７】
（ｄ）前記実施形態では、釣糸導入口９を元竿１のリールシート８より穂先側の外周面に形成したが、釣糸導入口９の形成位置は、元竿１に限定されず、元上竿２，中竿３，穂先竿４のいずれかひとつに設けてもよい。
【００２８】
【発明の効果】
本発明に係る中通し竿によれば、釣糸挿通操作を容易に行うことができる。
【図面の簡単な説明】
【図１】本発明の一実施形態による中通し竿の側面図。
【図２】その竿元側端部の断面図。
【図３】糸通し具の側面図。
【図４】釣糸挿通操作時の穂先竿の断面部分図。
【図５】釣糸挿通操作時の元竿位置の穂先側の断面部分図。
【図６】他の実施形態の図３に相当する図。
【図７】他の実施形態の図３に相当する図。
【図８】他の実施形態の図３に相当する図。
【符号の説明】
１ 元竿
２ 元上竿
３ 中竿
４ 穂先竿
６ トップガイド
９ 釣糸導入口
１０ 第１尻栓
１２ａ 貫通孔
１３ リング部材
１４ 第２尻栓
２１ 糸通し具
２２ 本体部
２３ 穂先係止部
２４ 釣糸係止部
２５ 自在部
【図１】
0004249346.tif 000002
【図２】
0004249346.tif 000003
【図３】
0004249346.tif 000004
【図４】
0004249346.tif 000005
【図５】
0004249346.tif 000006
【図６】
0004249346.tif 000007
【図７】
0004249346.tif 000008
【図８】
0004249346.tif 000009